(57)【要約】【課題】移動刃が固定刃の下側に潜り込むことなく、確実にロール状記録材を切断することができる切断装置を提供する。【解決手段】回転丸刃１５の刃先１５Ａは、固定刃１５の研磨面１３Ｂを越える位置までオーバラップするように刃合わせされ、固定刃１３に対する回転丸刃１５のオーバラップ寸法Ｌ１は、１．５ｍｍに設定されている。また、固定刃１３及び回転丸刃１５は、ともに研磨面１３Ｂ、１５Ｂが基準面となす角度は４５°に設定され、回転丸刃１５と固定刃１３とが極僅かな交差角度θをなして接触すように設定させている。【選択図】        図５
2005007540.tif 000002
【特許請求の範囲】
【請求項１】
記録材搬送路に沿って搬送されるロール状記録材の少なくとも全幅に亘って配置された固定刃と、前記固定刃に接触しつつ移動して前記記録材を幅方向に切断する切断装置であって、
前記移動刃の刃先が、少なくとも、前記固定刃の刃先研磨面を越えて重ねられていることを特徴とするロール状記録材の切断装置。
【請求項２】
前記移動刃の刃先に形成された刃先研磨面が、前記固定刃の前記刃先研磨面を越えるように、前記移動刃と前記固定刃とが重ねられていることを特徴とする請求項１記載のロール状記録材の切断装置。
【請求項３】
前記移動刃と前記固定刃とが鋭角をなすように線接触していることを特徴とする請求項１又は請求項２に記載されたロール状記録材の切断装置。
【請求項４】
前記移動刃と前記固定刃とのオーバラップ寸法Ｌが、０．５ｍｍ＜Ｌ＜１．６ｍｍであることを特徴とする請求項１乃至請求項３のいずれか一項に記載されたロール状記録材の切断装置。
【請求項５】
請求項１乃至請求項４のいずれか一項に記載された切断装置を備えたことを特徴とする画像形成装置。
【発明の詳細な説明】
【０００１】
【発明の属する技術分野】
この発明は、ロール状記録材の切断装置及びそれを備えた画像形成装置に関する。
【０００２】
【従来の技術】
複写機、プリンタ、ファクシミリ等の画像形成装置において、例えば、紙、プラスチックシート、布、ＯＨＰ用シート等の記録材（以下、記録シートという。）をロール状に巻いてなるロール状記録シートを、所望のサイズに切断する切断装置を備えたものが知られている。このようにロール状に巻いた記録シートは、記録画像の長さに合わせて記録シートを切断できるため、長尺物を複写したりするのに便利である。特に、ロール状の記録シートは、広幅サイズの複写等の場合、予めサイズが決まっている記録シートと比較してセット取り扱いが容易であるため、工業用の広幅機に多用されている。
【０００３】
このようなロール状記録材の切断装置として、固定刃と移動刃とが直角をなすように接触して配置されるタイプと、平行をなすように接触して配置されるタイプとが知られている。
【０００４】
固定刃と移動刃とが直角をなすように接触して配置された切断装置は、記録シートの搬送路の所定の位置に、記録シートの幅方向に沿って、記録シートの幅寸法よりも長い固定刃が配置され、この固定刃の刃先に沿って摺動する移動刃とを備えたものが知られている（例えば、特許文献１参照。）。この切断装置では、固定刃と移動刃とが直角をなすように配置されており、固定刃の刃面に沿って配置される記録シートを、固定刃の刃先上に沿って移動する移動刃の刃先で切断するようになっている。このような切断装置においては、移動刃はキャリッジに取り付けられている。このキャリッジは、一方の側部で記録シートの切断を行い、反対側の側部がガイドレールに走行自在となっている。なお、キャリッジは、回転制御されるプーリーに掛け渡されたワイヤを介して、記録シートの幅方向への移動が制御されるようになっている。
【０００５】
また、固定刃と移動刃（回転丸刃）とが平行をなすように面接触するように配置された切断装置としては、図６に示すようなものがある。なお、図６は、切断装置１００を模式的に示す要部説明図である。この切断装置１００の固定刃１０１は、画像形成装置本体側に設けられている固定刃ブラケット１０２に固定されている。移動刃１０３は、固定刃ブラケット１０２に記録シートの搬送路Ｒとなる間隙Ｓを介して対向配置されたガイドレール用ブラケット１０４に固定されたガイドレールユニット１０５をスライドする移動刃キャリッジ１０６に回転自在に軸支されている。
【０００６】
なお、この移動刃１０３は、図６に示すように、移動刃キャリッジ１０６から固定刃１０１側へ向けて周縁が突出するように配置されている。また、この移動刃１０３の刃先１０３Ａは、図７に示すように、固定刃１０１の刃先１０１Ａから固定刃１０１に重なる最大寸法（以下、オーバラップ寸法という。）Ｌ１が、０．５ｍｍ以下となるように設定されている。因みに、移動刃１０３の直径は２５ｍｍに設定されている。また、移動刃１０３の先端が、固定刃１０１の刃先１０１Ａから斜面状の刃先研磨面１０１Ｂが存在する領域までの平面投影距離Ｌは、０．５ｍｍ程度に設定されている。
【０００７】
【特許文献１】
特開平８−２２９８８３号公報（第３頁、図５及び図６）。
【０００８】
【発明が解決しようとする課題】
しかしながら、上述した固定刃と移動刃とが直角をなすように接触して配置されるタイプの切断装置や、図６及び図７に示したタイプの切断装置では、移動刃と固定刃とが記録シートの搬送路となる間隙Ｓを挟んで対峙しているため、以下に説明するような不都合を生じる場合がある。
【０００９】
すなわち、上述した切断装置では、記録シートが搬送されるときに、記録シートの表面に皺や耳折れが発生した状態で送られるとジャムが発生する。その状態で、移動刃が移動を始めると、ジャムが発生した記録シートの皺等が移動刃のガイドとなって、ガイドレールユニット１０５が設けられたガイドレール用ブラケット１０４側と、固定刃ブラケット１０２側とが、図６に示す太い矢印ａ、ｂに示す方向へ押し広げられる現象が発生する。その際、図８に示すように、移動刃１０３が固定刃１０１の下側に潜り込むと、移動刃１０３が移動不能となり、記録シートを切断できなくなる可能性がある。
【００１０】
そこで、本発明は、移動刃が固定刃の下側に潜り込むことなく、確実にロール状記録材を切断することができる切断装置及びそれを備えた画像形成装置を提供することを目的としている。
【００１１】
【課題を解決するための手段】
請求項１記載の発明は、記録材搬送路に沿って搬送されるロール状記録材の少なくとも全幅に亘って配置された固定刃と、前記固定刃に接触しつつ移動して前記記録材を幅方向に切断する切断装置に関するものである。この発明に係る切断装置は、前記移動刃の刃先が、少なくとも、前記固定刃の刃先研磨面を越えて重ねられていることを特徴としている。
【００１２】
請求項２記載の発明は、請求項１記載のロール状記録材の切断装置に関するものである。この発明に係る切断装置は、前記移動刃の刃先に形成された刃先研磨面が、前記固定刃の前記刃先研磨面を越えるように、前記移動刃と前記固定刃とが重ねられていることを特徴としている。
【００１３】
請求項３記載の発明は、請求項１又は請求項２に記載されたロール状記録材の切断装置に関する。この発明に係る切断装置は、前記移動刃と前記固定刃とが鋭角をなすように線接触していることを特徴としている。。
請求項４記載の発明は、請求項１乃至請求項３のいずれか一項に記載されたロール状記録材の切断装置に関する。この発明に係る切断装置は、前記移動刃と前記固定刃との重ね寸法Ｌが、０．５ｍｍ＜Ｌ＜１．６ｍｍであることを特徴としている。
【００１４】
請求項５記載の発明は、画像形成装置に関するものである。この発明に係る画像形成装置は、請求項１乃至請求項４のいずれか一項に記載された切断装置を備えたことを特徴としている。
【００１５】
【発明の実施の形態】
以下、本発明の実施の形態に係るロール状記録材の切断装置及びそれを備えた画像形成装置の詳細を図面に基づいて説明する。なお、図１は本実施の形態に係る画像形成装置の概略構成図、図２は切断装置の斜視図、図３は図２のＡ−Ａ断面図、図４は回転丸刃と固定刃との配置関係を示す断面図、図５は回転丸刃と固定刃との配置関係を示す平面図である。ただし、図面は模式的なものであり、各部材の寸法の比率などは現実のものとは異なることに留意すべきである。また、図面相互間においても互いの寸法の関係や比率が異なる部分が含まれている。
【００１６】
（画像形成装置の概略構成）
本実施の形態に係るロール状記録材の切断装置は、移動刃の刃先が、少なくとも、固定刃の刃先研磨面を越えて重ねられていることを特徴としている。
【００１７】
まず、図１を参照して、画像形成装置１の概略の構成を機能を含めて説明する。本実施の形態に係る画像形成装置１は、画像形成装置本体２に、ロール状記録材としてのロール状記録シート３を回転可能に格納すると共に、図示しないフィードローラ等のシート繰り出し手段を備えるロール格納部４と、このロール格納部４から繰り出された記録シート３Ａを所望のサイズで幅方向に沿って切断する切断装置５と、この切断装置５で切断された記録シート３Ａを搬送するピンチローラ６と、このピンチローラ６で搬送された記録シート３Ａに画像を記録する画像形成部７と、画像が記録された記録シート３Ａの画像定着を行う定着部８と、定着部８で定着処理された記録シート３Ａを記録材搬送路Ｒに沿って排紙トレー９まで搬送する各種の搬送系部材１０と、から大略構成されている。
【００１８】
（切断装置の構成）  次に、本実施の形態に係る切断装置５の構成を説明する。この切断装置５は、図２に示すように、画像形成装置本体２側に固定される装置台板１１と、この装置台板１１に取り付けられる固定刃取付台１２と、この固定刃取付台１２上に固定される固定刃１３と、装置台板１１に取り付けられるガイドプレート１４と、このガイドプレート１４に沿って走行可能に設けられた、移動刃としての回転丸刃１５を備えた移動刃キャリッジ１６と、移動刃キャリッジ１６をガイドプレート１４に沿って走行駆動するための、一対のプーリ１７に掛け回されたワイヤ１８と、を備えて大略構成されている。
【００１９】
《装置台板の構造》  まず、装置台板１１の構造を説明する。装置台板１１は、画像形成装置本体２における記録材搬送路Ｒを遮断するように、搬送される記録シート３Ａの幅方向Ｗに沿って配置される細長い略長方形状のプレートである。なお、装置台板１１は、実際には記録材搬送路Ｒを遮断するものではなく、記録シート３Ａが通過できるシート通過用スリット１９が形成されている（図２及び図３参照。）。このシート通過用スリット１９は、図２に示すように、搬送される記録シート３Ａの幅方向Ｗに沿って記録シート３Ａの幅寸法よりも長く形成されている。また、シート通過用スリット１９は、装置台板１１の一方の長辺にやや近づいた位置に配置されている。このため、装置台板１１は、図３に示すように、シート通過用スリット１９により幅の狭い固定刃取付部１１Ａと、比較的幅の広いガイドプレート取付部１１Ｂとに区画されている。なお、この装置台板１１は、画像形成装置本体２の所定箇所にネジ止めや溶接等の固着手段にて固定されている。
【００２０】
《固定刃取付台の構造》  次いで、固定刃取付台１２の構造について説明する。図２及び図３に示すように、固定刃取付台１２は、例えばアルミニウム等の金属でなり、中空な角筒形状に形成されている。また、この固定刃取付台１２は、シート通過用スリット１９で区画された幅狭な固定刃取付部１１Ａの上に長手方向に沿って載置、固定されている。さらに、図３に示すように、この固定刃取付台１２は、装置台板１１のシート通過用スリット１９に臨む底部に、このシート通過用スリット１９に対して、記録材搬送方向の下流側から上流側に向けて挿入された記録シートガイド板部１２Ａが突設されている。この記録シートガイド板部１２Ａの長手方向の長さは、シート通過用スリット１９の長手方向の長さとほぼ同程度に設定されている。そして、図３に示すように、この記録シートガイド板部１２Ａは、先端縁に向けて記録材搬送路Ｒから遠ざかる方向へ拡がるように傾斜している。
【００２１】
また、固定刃取付台１２における上記シート通過用スリット１９に臨む側の上面には、固定刃１３を載置する固定刃載置用段部１２Ｂが形成されている。
【００２２】
《固定刃の構造》
次に、上述した固定刃載置用段部１２Ｂの上に載置される固定刃１３の構造について説明する。この固定刃載置用段部１２Ｂの上には、図２及び図３に示すように、固定刃１３が刃先１３Ａがシート通過用スリット１９に臨んで突出し、かつ刃先部分に形成された研磨面１３Ｂが斜め下を向くように載置されている。因みに、本実施の形態では、研磨面１３Ｂを形成した刃先角度を５５°に設定している。この固定刃１３は、図３に示すように、固定刃載置用段部１２Ｂの奥行き長さより僅かに長く設定されると共に、長手方向の長さは固定刃取付台１２の長手方向の長さと同程度の長さに設定されている。本実施の形態では、固定刃１３の長さを１０８４ｍｍに設定している。
【００２３】
そして、この固定刃１３は、固定刃取付台１２上に固定される押さえ板２０で押さえつけられて固定されている。なお、この押さえ板２０の前縁部には記録材搬送方向Ｒに向けて立ち上がる突堤部２０Ａが形成されている。
【００２４】
《ガイドプレートの構造》  次に、ガイドプレート１４の構造について説明する。このガイドプレート１４は、上記した装置台板１１のガイドプレート取付部１１Ｂに沿って載置、固定されるものであり、上記した固定刃取付台１２よりも幅が広く長手方向の長さは固定刃取付台１２の長手方向の長さと同じに設定されている。このガイドプレート１４には、シート通過用スリット１９に臨む端縁に第１ガイド突堤２１と、この第１ガイド突堤２１から、固定刃取付台１２と反対方向に所定距離を隔ててこの第１ガイド突堤２１と平行をなすように形成された第２ガイド突堤２２と、が形成されている。これら第１及び第２ガイド突堤２１、２２の対向する面には、それぞれガイド溝２１Ａ、２２Ａが形成されている。
【００２５】
《移動刃キャリッジの構成》  次に、移動刃キャリッジ１６の構成について説明する。上述したように、この移動刃キャリッジ１６は、ガイドプレート１４に対してシート通過用スリット１９に沿って走行駆動されるようになっている。
【００２６】
この移動刃キャリッジ１６は、図２及び図３に示すように、移動プレート２３と、この移動プレート２３の下に一体に設けられた摺動ブロック２４と、上記移動プレート２３に形成された図示しない下軸受け部に回転軸が回転自在に挿入される回転丸刃１５と、回転丸刃１５の上側に突出する回転軸を挿入する、図示しない上軸受け部が形成されたカバー板２５と、カバー板２５の上に配置され回転丸刃１５の回転軸上端を軸方向に付勢する軸押さえ板２６と、を備えて大略構成されている。
【００２７】
なお、移動プレート２３の走行方向の両側部分には、緩衝部材としてのコイルスプリング２７が連結されたワイヤ１８の両端部がそれぞれ固定されている。ワイヤ１８は、装置台板１１の両端に回転可能に軸支されたプーリ１７に掛け渡されている。また、一方のプーリ１７は、図示しない回転駆動制御系に連動するようになっている。
【００２８】
《回転丸刃と固定刃の配置関係》  次に、本実施の形態に係る切断装置５における回転丸刃１５と固定刃１３との配置関係を図４及び図５を用いて説明する。
【００２９】
本実施の形態では、図４及び図５に示すように、回転丸刃１５の刃先１５Ａは、固定刃１５の研磨面１３Ｂを越える位置までオーバラップするように刃合わせされている。具体的には、本実施の形態において、回転丸刃１５の直径は２７ｍｍ（従来は２５ｍｍ）に設定され、固定刃１３に対する回転丸刃１５のオーバラップ寸法Ｌ１は、１．５ｍｍに設定されている。また、固定刃１３及び回転丸刃１５は、ともに研磨面１３Ｂ、１５Ｂが基準面となす角度は４５°に設定されている。加えて、本実施の形態では、図４に示すように、回転丸刃１５と固定刃１３とが極僅かな角度θをなすように接触させている。
【００３０】
このように、回転丸刃１５と固定刃１３との刃合わせの条件を設定したことにより、切断装置５において、記録シート３Ａが、表面に皺が発生したり耳折れが発生した状態で搬送されてジャムが発生して、回転丸刃１３が皺等に沿って移動しても、回転丸刃１５と固定刃１３とのオーバラップ寸法が増加しているため、回転丸刃１５が固定刃１３の下側へ潜り込むことを防止できる。このオーバラップ寸法が、１．５ｍｍ未満では、回転刃１５が固定刃１３の下側に潜り込む可能性がある。また、回転丸刃１５と固定刃１３とのオーバラップ寸法Ｌ１を１．６ｍｍ以上にすることは、記録シート３Ａに波打ちが生じるため好ましくない。したがって、回転丸刃１５と固定刃１３とのオーバラップ寸法Ｌ１は、０．５ｍｍ＜Ｌ１＜１．６ｍｍの範囲で設定することが切断処理に支障を来すことを有効に防止できる。
【００３１】
このようなオーバラップ寸法の設定を行うと、回転丸刃１５の刃先が、固定刃１３の刃先研磨面を越えて重ねられており、回転丸刃１５と固定刃１３の線接触の長さが長くなっている。また、回転丸刃１５と固定刃１３が面接触ではないため、回転丸刃１５の回転摩擦を低下させることができ、円滑に記録シート３Ａの切断を行うことが可能となる。
【００３２】
また、上述のように、回転丸刃１５と固定刃１３とが極僅かな角度θをなすように線接触しているため、図５に示すように２箇所の作用点Ｓでの両刃の接触を良くすることができる。
【００３３】
（他の実施の形態）
以上、実施の形態について説明したが、本発明はこれに限定されるものではなく、構成の要旨に付随する各種の変更が可能である。
【００３４】
例えば、上記した実施の形態では、移動刃として回転丸刃１５を適用したが、他の形状の刃を用いてもよい。また、回転丸刃１５と固定刃１３とをほぼ直角に配置する切断装置にも本発明を適用することが可能である。
【００３５】
【発明の効果】
以上の説明から明らかなように、本発明によれば、移動刃が固定刃の下側に潜り込むことなく、確実にロール状記録材を切断できる切断装置を実現することができる。
【００３６】
また、本発明によれば、確実にロール状記録材を切断でき、しかもメンテナンスの手間を軽減できる画像形成装置を実現することができる。
【図面の簡単な説明】
【図１】本発明の実施の形態に係る画像形成装置の概略構成図である。
【図２】本発明の実施の形態に係る切断装置の斜視図である。
【図３】図２のＡ−Ａ断面図である。
【図４】本発明の実施の形態に係る切断装置における回転丸刃と固定刃との配置状態を示す要部側面説明図である。
【図５】本発明の実施の形態に係る切断装置における回転丸刃と固定刃との配置状態を示す要部平面説明図である。
【図６】従来の切断装置を示す要部側面図である。
【図７】従来の切断装置を示す要部平面図である。
【図８】従来の切断装置において移動刃が固定刃の下側に潜り込んだ状態を示す要部側面図である。
【符号の説明】
１……画像形成装置、３……ロール状記録シート、３Ａ……記録シート、５……切断装置、１１……装置台板、１１Ａ……固定刃取付部、１１Ｂ……ガイドプレート取付部、１２……固定刃取付台、１３……固定刃、１３Ａ……刃先、１３Ｂ……研磨面、１４……ガイドプレート、１５……回転丸刃、１５Ａ……刃先、１５Ｂ……研磨面、１６……移動刃キャリッジ
【図１】
2005007540.tif 000003
【図２】
2005007540.tif 000004
【図３】
2005007540.tif 000005
【図４】
2005007540.tif 000006
【図５】
2005007540.tif 000007
【図６】
2005007540.tif 000008
【図７】
2005007540.tif 000009
【図８】
2005007540.tif 000010